(57)【要約】      （修正有）【課題】素人でも失敗せずにカクテルを手軽に作ることが出来るシェーカーを提供する。【解決手段】上部が開口した有底円筒状をなした液体収容可能な容器本体と、上部に円形透孔を有し、前記容器本体の開口部に着脱自在に嵌合せしめる蓋材と、裏面にカギ形のフックが形成されており、前記蓋材の円形透孔に着脱自在に嵌合せしめる栓材と、内部に冷却材を収容可能であると共に、吊紐によって前記フックから容器本体内に吊下させる冷却材容器、とから成るシェーカーボトルを構成した。【選択図】図２
0003143403.tif 000002
【実用新案登録請求の範囲】
【請求項１】
上部が開口した有底円筒状をなした液体収容可能な容器本体と；  上部に円形透孔を有し、前記容器本体の開口部に着脱自在に嵌合せしめる蓋材と；  裏面にカギ形のフックが形成されており、前記蓋材の円形透孔に着脱自在に嵌合せしめる栓材と；  内部に冷却材を収容可能であると共に、吊紐によって前記フックから容器本体内に吊下させる冷却材容器；  とから構成されることを特徴とするシェーカーボトル。
【考案の詳細な説明】
【技術分野】
【０００１】
この考案はシェーカーボトル、詳しくは手軽にカクテルを作ることが出来るだけではなく、多種多様な楽しみ方も可能で、酒類の販売量増加にも寄与し得るシェーカーボトルに関するものである。
【背景技術】
【０００２】
昨今は、健康志向や飲酒運転事故などの社会的影響でアルコール飲料は伸び悩んでおり、その嗜み方も、ひと昔前の様に単に酒量を競い合う様なことはあまり見られなくなっている。これに対し、自分の好みに合わせたブレンドを行うことが静かなブームとなっており、女性のカクテル愛好者も増加している。これは、カクテルの元酒として、従来のウォッカに替わる安価で癖のない焼酎が多く出回る様になって来たことも原因の一つである。バーにおいて、バーテンダーがシェーカーを振る様（さま）は、カクテル愛好者にとってたまらなく魅力的であることは言を俟たない。
【特許文献１】実用新案登録第３１１７８７９号公報
【特許文献２】特開２００７−５５６８１号公報
【特許文献３】特開２００７−１５７５５号公報
【非特許文献１】なし
【考案の開示】
【考案が解決しようとする課題】
【０００３】
しかしながら、従来においては、素人が簡単に用いることが出来るシェーカーはあまり見当たらず、プロのバーテンダーが用いる金属製の本格的なシェーカーを使用せざるを得なかった。しかしながら、プロ用の本格的なシェーカーは使いこなすのがむずかしく、初心者が手軽にカクテル作りに挑戦するには不向きであった。特に、氷についての扱いがむずかしく、その量は投入タイミング、注ぎ出しタイミングなどを誤ると、必要以上に水で希釈されてしまい、カクテル作りに失敗することもあった。
【０００４】
本考案者は、昨今のカクテル愛好者の増加に鑑み、素人でも手軽にカクテルを作ることが出来る安価な用具を開発すべく研究を行った結果、この目的に合致し、酒類の販売促進にも寄与し得るシェーカーボトルを開発することに成功し、本考案として、ここに提案するものである。
【課題を解決するための手段】
【０００５】
上部が開口した有底円筒状をなした液体収容可能な容器本体と；  上部に円形透孔を有し、前記容器本体の開口部に着脱自在に嵌合せしめる蓋材と；  裏面にカギ形のフックが形成されており、前記蓋材の円形透孔に着脱自在に嵌合せしめる栓材と；  内部に冷却材を収容可能であると共に、吊紐によって前記フックから容器本体内に吊下させる冷却材容器；  とからシェーカーボトルを構成することにより、上記課題を解決した。
【実施例】
【０００６】
図１はこの考案に係るシェーカーボトルの一実施例の縦断面図、図２は同じく、カクテル製造中の状況の縦断面図である。図中１は容器本体であり、合成樹脂を素材とし、上部が開口した有底円筒状をなし、液体を収容可能な水密性を有している。なお、この実施例においては、容器本体１の素材として合成樹脂を用いたが、金属製であっても良く、又、魔法ビンの様な真空断熱構造のものであっても良い。そして、この容器本体１の開口部には、軟質合成樹脂を素材とした蓋材２が着脱自在で、かつ水密状態を保つ様に嵌合せしめられている。
【０００７】
この蓋材２は略円錐形の側面形状をなし、上部には円形透孔３が形成されており、この円形透孔３には合成樹脂製の栓材４が着脱自在で、かつ水密状態を保つ様に嵌合せしめられている。この栓材４は、円板上の頭部５の裏面から丈の短い円筒状の嵌入部１１が一体的に垂設されてなるものであり、この嵌入部１１の内側にはカギ形をなしたフック６が上方を向く様に一体的に付設されている。
【０００８】
一方、７は、内側に氷などの冷却材１２を収容して容器本体１内に投入し、冷却の用に供する冷却材容器であり、吊紐８によって栓体４のフック６から吊下させる様になっている。なお、この実施例においては、冷却材容器７として氷嚢を用いたが、冷却材１２である氷などを密封可能な容器であれば、氷嚢に限る必要はなく、カプセル状のものなどを用いても良い。又、浮き上がらない様にする為、その内部に比重の大きい物質を錘り１０として入れても良い。
【０００９】
この実施例は上記の通りの構成を有するものであり、冷却材容器７に冷却材１２として氷や氷水を入れ、その上部を吊紐８で固くしばり、吊紐８の一端を蓋材２の円形透孔３から引き出し、栓材４のフック６に引っ掛け、この冷却材容器７を容器本体１の内部に投入すると共に、この容器本体１にカクテルの材料となる所望の酒やジュースなどの液体９を入れ、蓋材２を容器本体１に、栓材４を蓋材２にそれぞれ嵌合し、この状態で容器本体１をシェイクしてカクテルを作る。カクテルが出来上がった後は、蓋材２をはずして容器本体１の開口部からカクテルグラスなどに注げば、一連の作業を終了する。又、栓材４をはずして、円形透孔３からストローを差し込んで、ストローにより容器本体１から直接内容物を吸い込んだり、蓋材２をはずした容器本体１の開口部に直接口を付けて内容物を飲み込む様にしても良い。
【００１０】
この考案に係るシェーカーボトルは、上記の通り、容器本体１内に氷などの冷却材１２を収容した冷却材容器７を位置せしめるので、カクテル製造の際に容器本体１内に直接氷を投入する必要がなく、氷の溶解による液体９の濃度変化は全く起こらず、素人でも好みのカクテルを簡単に作ることが出来る。又、蓋材２をはずせば、単なるコップとしても使用することが出来、栓材４をはずしてストローを投入すれば、液体９がこぼれることを心配せずに、歩行中や車内においてもこれを摂取することが出来る。この様に、状況に応じて多様な使用方法が可能で、単に酔う為ではなく、アルコール飲料を多種多様な方法で楽しみたいというアルコール愛好家のニーズに応えることが出来、ひいては、酒類の販売量を増大させる効果を有する。又、簡単な構造であり、低いコストで生産することが出来るので、容器本体１の側面などに店名やロゴ、その他告知したい各種情報を印刷しておけば、酒類の販売促進の為のツールとしても有効であり、高い実用的価値を有する。
【図面の簡単な説明】
【００１１】
【図１】この考案に係るシェーカーボトルの一実施例の縦断面図。
【図２】同じく、カクテル製造中の状況の縦断面図。
【符号の説明】
【００１２】
１    容器本体
２    蓋材
３    円形透孔
４    栓材
５    頭部
６    フック
７    冷却材容器
８    吊紐
９    液体
１０    錘り
１１    嵌入部
１２    冷却材
【図１】
0003143403.tif 000003
【図２】
0003143403.tif 000004